(57)【要約】      （修正有）【課題】着脱が簡単で、壊れにくく、装飾具としても使用することが可能なメガネホルダーを提供する。【解決手段】先端の尖ったピンが板状部材２の背面に固定された第１部材３と、ピンを挿入する孔が形成され、該孔に挿入された該ピンをバネの布勢力で係止する係止手段と該布勢力を減殺する減殺手段とを有する第２部材８と、第１部材３に接合された環状の第３部材９とを備え、ピンを刺し通した薄いシート状の物体の裏側において第２部材８で該ピンを係止させ、第３部材９にメガネのテンプルを挿通させて保持することを特徴とする。【選択図】図１
0003215617.tif 000002
【実用新案登録請求の範囲】
【請求項１】
先端の尖ったピンが板状部材の背面に固定された第１部材と、前記ピンを挿入する孔が形成され、該孔に挿入された該ピンをバネの布勢力で係止する係止手段と該布勢力を減殺する減殺手段とを有する第２部材と、前記第１部材に接合された環状の第３部材とを備えたことを特徴とするメガネホルダー。
【請求項２】
前記ピンを刺し通したシート状の物体の裏側で該ピンを前記第２部材の孔に挿入して固定させ、前記第３部材にメガネのテンプルを挿通させて該メガネを保持することを特徴とするメガネホルダー。
【請求項３】
前記第１部材及び第２部材は、金又は銀その他の装飾性を有する金属で形成され、前記第３部材は、皮革、プラスチック、合成繊維、若しくは金属で形成されたものであって、前記第１部材に縫着、接着、若しくは溶接されることにより接合されることを特徴とする請求項１記載のメガネホルダー。
【考案の詳細な説明】
【技術分野】
【０００１】
本考案は、メガネを保持するために、胸ポケット、ネクタイ、帽子など身近なものに着脱自在に取り付けることができるメガネホルダーに関するものである。
【背景技術】
【０００２】
メガネは、不要なときは、バックやかばんに入れて携行したり、机にしまっておき、必要なときに装着することができるよう収納ケースにセットされて販売される。
しかしながら、文字を読む場合のように近くを見るときは装着し、遠方を見るときは外すことが多い老眼鏡、太陽がまぶしいときには装着し、うす暗い場所では外す必要があるサングラス等は、その都度ケースに収納するのが煩わしいうえ、手を使って何かをしているためにケースに収納することが困難な場合もある。そのようなときは、シャツや上着のポケットに収納し勝ちであり、ついうっかりかがんだためにメガネが落下し、破損することがある。
また、高齢化するともの忘れがひどくなり、メガネを何処に置いたのか、忘れることも多い。
そこで、身の回りにメガネをしっかり保持するためのホルダーが提案されている。
例えば、メガネのテンプルに固定するクリップと、服のポケットを挟むクリップとを一体化したメガネ落下防止具（特許文献１参照）、メガネのテンプルにピンが固定され、そのピンでポケットや襟首にメガネを保持するピン付フレーム（特許文献２参照）が開示されている。
また、装飾チエーンの両端にパイプ状のデザインパーツとリング状の弾性体とを取り付け、ネックレスとして使用するときは、弾性体をデザインパーツ内に収容に、メガネチエーンとして使用するときは、弾性体をデザインパーツ内から引き出し、弾性体にメガネの柄を捜通して留めるように構成された装身具（特許文献３参照）、ペンダントヘッドの中央部に切り込みを入れてテンプルを通す部分とし、上縁部２か所に通し穴を設けて紐又は鎖を通したメガネホルダー（特許文献４参照）が開示されている。
さらに、一対の磁石それぞれに設けた貫通孔に、ゴム輪などの変形可能な物品を通し、その両端にカンを取り付けた構成により、テンプルに簡単に着脱できるようにしたメガネホルダー（特許文献５参照）が開示されている。
【先行技術文献】
【特許文献】
【０００３】
【特許文献１】実開平７−５１２８号公報
【特許文献２】特開２００４−２１２４８号公報
【特許文献３】特開２００３−７０５１２号公報
【特許文献４】特開２０１３−７３２３１号公報
【特許文献５】特許第５６８２００３号公報
【考案の概要】
【考案が解決しようとする課題】
【０００４】
しかしながら、メガネを一時的に保持する個所は、胸ポケットや胸元など目立つ位置であることから、簡単に着脱できるのみならず、壊れにくく、かつ装飾的要素も加味する必要がある。
本願考案は、上記事情に鑑み、着脱が簡単で、壊れにくいうえ、装飾具としても使用することが可能なメガネホルダーを提供することを目的とする。
【課題を解決するための手段】
【０００５】
本考案のメガネホルダーは、先端の尖ったピンが板状部材の背面に固定された第１部材と、上記ピンを挿入する孔が形成され、該孔に挿入された該ピンをバネの布勢力で係止する係止手段と該布勢力を減殺する減殺手段とを有する第２部材と、上記第１部材に接合された環状の第３部材とを備えたことを特徴とする。
そして、上記ピンを刺し通したシート状の物体の裏側で該ピンを上記第２部材の孔に挿入して固定させ、上記第３部材にメガネのテンプルを挿通させて該メガネを保持することができる。
その場合、上記シート状の物体は、シャツ、帽子、ネクタイ又は暖簾などの身近にある物体であることが好ましい。また、係止手段は、中央に水滴状の穴を有する多角形の部材を、該穴の向きを違えて複数枚重ね合わせて、該部材と同形の空間に収容し、バネに布勢されてぴったりと重なったものとすることができる。
このように、先端の尖ったピンを有する第１部材と、減殺手段を手で引っ張ることによりばねの布勢力を減殺したり、復元させたりすることにより係止手段にピンを係止させたり、解放したりするように構成された第２部材と、第１部材に接合された環状の第３部材とによってメガネホルダーが形成されているので、薄いシート状の布地等に第１部材と第２部材とを容易に、かつしっかりと固定して、第３部材にメガネのテンプルを挿入すれば、メガネを布地等にしっかりと保持することができる。
また、上記第１部材及び第２部材は、金又は銀その他の装飾性を有する金属で形成されれば、おしゃれで、壊れにくい。また、上記第３部材は、皮革、プラスチック、合成繊維、若しくは金属で形成されたものであれば、見栄えよくできる上、上記第１部材に縫着、接着、若しくは溶接すれば一体化が容易で、壊れにくい。
なお、上記第１部材は、正面にダイヤ、ルビー、サファイヤその他の貴石、若しくは真珠、珊瑚、その他の装飾性を有する物体が接合されれば、メガネホルダーを装飾品にすることもできる。
【考案の効果】
【０００６】
本考案のメガネホルダーによれば、着脱が簡単で、壊れにくいので、衣服や身の回り品等に取り付けることにより、手が塞がる作業等を行う場合でもメガネをかけたり、外したりすることが容易になるうえ、装飾具としても使用することが可能である。
【図面の簡単な説明】
【０００７】
【図１】図１は本実施形態のメガネホルダーを示す正面図である。
【図２】図２は本実施形態のメガネホルダーを示す側面図である。
【図３】図３は本実施形態のメガネホルダーを示す天面図である。
【図４】図４は第１部材を示す側面図である。
【図５】図５は第２部材の天面図である。
【図６】図６は第２部材の底面図である。
【図７】図７は第２部材のA-Aで切断した断面図である。
【図８】図８は係止手段を構成する矩形部材である。
【図９】図９はメガネホルダーの使用例を示す図である。
【図１０】図１０はメガネホルダーの使用例を示す図である。
【図１１】図１１はメガネホルダーの使用例を示す図である。
【考案を実施するための形態】
【０００８】
以下に、本考案のメガネホルダーの実施形態について図に基づいて説明する。
図１から図３は、本実施形態のメガネホルダーを示す図であり、図１は正面図、図２は側面図、図３は天面図である。
図１から図３に示す本実施形態のメガネホルダー１０は、 先端の尖ったピン（図に現われない）１が板状部材２の背面に固定された第１部材３と、第１部材３のピン１を挿入する孔（図に現われない）４が形成され、その孔４に挿入されたピン１をバネ（図に現われない）５の布勢力で係止する係止手段（図に現われない）６と、バネ５の布勢力を減殺する減殺手段（図に現われない）７とを有する第２部材８と、第１部材３に接合された環状の第３部材９とを備えている。
ここで、第１部材３及び第２部材８は、金又は銀、プラチナ、チタン合金、ステンレス、真鍮などで形成されたものを用いるが、必ずしもそれに限定する必要はなく、見た目がよく装飾性を有する金属で形成されていればよい。
また、第３部材９は、皮革、プラスチック、合成繊維、あるいは金属をリング状、又は筒状に成形したものが用いられ、第１部材３における板状部材２の正面に糸で縫着したり、接着剤で接着したり、金属同士を溶接することによりしっかりと接合されている。
メガネホルダー１０を構成する第１部材３のピン１を、シャツの胸ポケット、ネクタイ、帽子の鍔又は暖簾などの薄いシート状の部材に刺し通し、その裏側で第２部材８の孔４にピン１を差込んで係止させることにより、メガネホルダー１０をシャツ、ネクタイ、帽子又は暖簾などに固定することができる。そして、環状の第３部材９に、メガネのテンプルTを差し込んでメガネを保持する。
【０００９】
図４は、第１部材を示す側面図である。
図４に示す第１部材３は、円盤状の板状部材２と、その背面中央に固定された先端の尖ったピン１とを有する。
本実施形態の第１部材３は、正面には、第３部材９が接合されるが、そのほか、ダイヤ、ルビー、サファイヤその他の貴石、若しくは真珠、珊瑚、その他の装飾性を有する物を取り付けることができる。
メガネホルダー１０を取り付ける位置によっては、第１部材３の正面は第三者の目に留まりやすいので、装飾性を有するものを取り付けて被服や身の周り品と違和感のないようにすることができる。
【００１０】
図５から図８は、第２部材を示す図であり、図５は天面図、図６は底面図、図７はA-Aで切断した断面図であり、図８は係止手段を構成する矩形部材である。
図５に示すように、第２部材８の天面は、２つの円形部分があり、外側は、第２部材８を成形する際に必要な蓋８aの外縁であり、その内側の円は、蓋８aよりも厚みのある、第１部材３の板状部材２が当接する部分で、中央にピン１が挿入される孔４が形成されている。
図６に示すように、第２部材８の底面中央には、ピン１が係止される係止手段６における係止を解除するために指で摘まんで引っ張るつまみ７aがある。
図７に示すように、第２部材８は円筒形をなし、その内部には、図８に示す矩形部材６aが４枚重ね合わされた係止手段６を収容する矩形の空間と、矩形部材６aがぴったり重なるように布勢する複数のバネ５と、つまみ７aを引っ張ることによりバネ５の布勢力を減殺する減殺手段７とがあり、係止手段６及び減殺手段７の中央には、ピン１が挿入される孔４が設けられている。矩形部材６aの中央にはピン１が挿入される水滴状の穴６ｂがあり、第２部材８に嵌め込まれる矩形部材６aは、水滴状の穴（例えば先端が尖っている部分）６bの向きがそれぞれ異なるように重ね合わされている。
また、矩形部材６aを収容する矩形の空間は、減殺手段７側ほど少し広くなっている。従って、減殺手段７のつまみ７aを掴んで引くと、バネ５の布勢力が弱まるので、４枚の矩形部材６a相互間に隙間が生じ、矩形部材６aそれぞれが水平方向にわずかに動ける余地が生じる。その結果、４枚の矩形部材６aそれぞれは、ピン１と各矩形部材６aとの摩擦力が弱まる方向に移動し、ピン1は抜き差しが自由になる。
そして、シート状の部材にメガネホルダー１０を固定するときは、ピン１を深く挿入した後、減殺手段７のつまみ７aを放すと、４枚の矩形部材６aがぴったりと重なり合うと共に、矩形の空間を形成する壁面との間隙はほぼなくなるので、ピン１は矩形部材６aとの摩擦力によって抜き差しができなくなり、しっかりと係止される。
ここで、本実施形態の係止手段６は、矩形部材６aに形成された水滴状の穴６ｂの向きが異なるように重ね合わされることによる摩擦力でピンを係止しているが、つまみ７aを掴んで引くと鋸歯状の孔の径がすぼんだり、開いたりするように構成することでピンが係止されるように構成することもできる。
また、本実施形態の係止手段６は、矩形部材６aを４枚重ね合わせているが、２枚であってもよく、また五角形の部材を５枚重ね合わせることや、六角形の部材を６枚重ね合わせることで構成してもよい。ただし、それらの形状に応じて、収容空間も、五角形あるいは六角形にする必要がある。
【００１１】
図９から図１１は、メガネホルダーの使用例を示す図である。
図９は、シャツの胸ポケットにメガネホルダー１０を取り付け、第３部材９にメガネのテンプルTを差し込んで保持した例である。
図１０は、帽子の側部それぞれに一対のメガネホルダー１０を取り付け、メガネの左右のテンプルTそれぞれを第３部材９に差し込んで保持した例である。
図１１は、室内の暖簾にメガネホルダー１０を取り付け、第３部材９にメガネのテンプルTを差し込んで保持した例である。
なお、ここで示した使用例は、一例であってそれらに限定する必要はない。
【符号の説明】
【００１２】
１    ピン
２    板状部材
３    第１部材
４    孔
５    バネ
６    係止手段
６a   矩形部材
６b    穴
７    減殺手段
７a    つまみ
８    第２部材
８a  蓋
９    第３部材
１０    メガネホルダー
T    テンプル
【図１】
0003215617.tif 000003
【図２】
0003215617.tif 000004
【図３】
0003215617.tif 000005
【図４】
0003215617.tif 000006
【図５】
0003215617.tif 000007
【図６】
0003215617.tif 000008
【図７】
0003215617.tif 000009
【図８】
0003215617.tif 000010
【図９】
0003215617.tif 000011
【図１０】
0003215617.tif 000012
【図１１】
0003215617.tif 000013
【手続補正書】
【提出日】平成30年1月31日(2018.1.31)
【手続補正１】
【補正対象書類名】実用新案登録請求の範囲
【補正対象項目名】全文
【補正方法】変更
【補正の内容】
【実用新案登録請求の範囲】
【請求項１】
先端の尖ったピンが板状部材の背面に固定された第１部材と、前記ピンを挿入する孔が形成され、該孔に挿入された該ピンをバネの布勢力で係止する係止手段と該布勢力を減殺する減殺手段とを有する第２部材と、前記第１部材に接合された環状の第３部材とを備えたことを特徴とするメガネホルダー。
【請求項２】
前記ピンを刺し通したシート状の物体の裏側で該ピンを前記第２部材の孔に挿入して固定させ、前記第３部材にメガネのテンプルを挿通させて該メガネを保持することを特徴とする請求項１記載のメガネホルダー。
【請求項３】
前記第１部材及び第２部材は、金又は銀その他の装飾性を有する金属で形成され、前記第３部材は、皮革、プラスチック、合成繊維、若しくは金属で形成されたものであって、前記第１部材に縫着、接着、若しくは溶接されることにより接合されることを特徴とする請求項１記載のメガネホルダー。